(57)【要約】    【課題】  回路規模および処理量の小さい通信方法およびその方式を提供。    【解決手段】  BIP-nの場合のBIP補正処理方式は、伝送フレーム20の未使用信号内の使用エリアと、挿入信号とをnビット毎に“１”の数を比較し、比較結果に基づいてBIP補正を行ってBIP補正ビットを作成し、作成したBIP補正ビット（Y,Z）を送信する伝送フレーム22の未使用信号エリアに挿入し、中継装置14は、BIP演算範囲24内の未使用信号にBIP補正ビット26を設けた伝送フレームを中継する。【選択図】        図１
2006157766.tif 000002
【特許請求の範囲】
【請求項１】
パリティ方式にて誤り監視を行って伝送フレームを中継する中継区間通信路における通信方法において、該方法は、
中継する伝送フレームの未使用信号と該伝送フレームに挿入する挿入信号とを所定ビットごとに比較する比較工程と、
該比較した結果に基づいて、パリティを補正するための補正ビットを生成する補正ビット生成工程と、
前記補正ビットを前記伝送フレームの未使用信号に挿入する挿入工程と、
前記補正ビットが挿入された伝送フレームを中継伝送する中継工程と有することを特徴とする通信方法。
【請求項２】
請求項１に記載の通信方法において、前記パリティ方式はBIP方式であり、前記補正ビット生成工程は、前記比較工程の比較結果が奇数個の差分を示す場合には、前記補正ビットの前記比較結果が反映される該当ビットを反転することを特徴とする通信方法。
【請求項３】
パリティ方式にて誤り監視を行って伝送フレームを中継する中継区間通信路における通信方式において、該方式は、
中継する伝送フレームの未使用信号と該伝送フレームに挿入する挿入信号とを所定ビットごとに比較する比較手段と、
該比較手段の比較結果に基づいて、パリティを補正するための補正ビットを生成する補正ビット生成手段と、
前記補正ビットを前記伝送フレームの未使用信号に挿入する挿入手段と、
前記補正ビットが挿入された伝送フレームを中継伝送する中継手段と有することを特徴とする通信方式。
【請求項４】
請求項３に記載の通信方式において、前記パリティ方式はBIP方式であり、前記補正ビット生成手段は、前記比較手段の比較結果が奇数個の差分を示す場合には、前記補正ビットの前記比較結果が反映される該当ビットを反転することを特徴とする通信方式。
【発明の詳細な説明】
【技術分野】
【０００１】
本発明は、BIP (Bit Interleaved Parity)を用いて情報通信を行う通信システムにて、中継装置にて通信を行う場合の中継区間通信路における通信方法およびその方式に関するものである。
【背景技術】
【０００２】
近年、同期ディジタル・ハイアラーキ (SDH：Synchronous Digital Hierarchy) 伝送方式が国際電気通信連合(ITU-T)にて勧告されている。SDH伝送方式では、データ信号の符号誤りをビットインターリーブパリティ（以下、BIP：Bit Interleaved Parityと呼ぶ）方式によって、送信側からのデータが受信側に正しく伝送されたか否かを検査する。
【０００３】
データを送受信する伝送装置間に中継装置が配置される中継区間通信路における通信システムでは、中継装置で所定のデータを入れ替える場合、中継装置に符号誤りを監視する監視回路やパリティを演算する回路を備える。
【０００４】
BIPによる符号誤りの監視方式は、誤り監視を行うデータをｎビット毎に分割して、ｎビット毎にパリティ演算を行いその演算結果をフレームのたとえばオーバーヘッドバイトに挿入する。たとえば、２ビット毎にパリティ演算を行うBIP-2方式では、伝送装置においてフレームの未使用区間と複数の信号区間とをBIP演算範囲として、パリティ演算を１ビット毎にそれぞれ行って、その演算結果をそれぞれフレームのBIP-2の位置に挿入する。こうしてBIPが挿入されたフレームは、たとえば複数の中継装置を介して目的の伝送装置に送られる。
【０００５】
それぞれの中継装置では、BIPを再計算して更新し、更新したBIPを再挿入することにより正常な値のBIPを後段の中継装置または宛先の伝送装置へ転送する。このような転送方式の場合、各中継装置では、常にBIPを再演算して正常値を伝送するため、前段からフレームがBIP異常で伝送されてきた場合に、後段の中継装置や伝送装置に異常状態を伝達することができない。これを解決するために、信号挿入前にBIP再演算を行って演算結果が異常であった場合に、信号挿入後も異常状態となるようにしてBIPを挿入する必要があった。
【０００６】
上述のようなBIPによる信号監視は、たとえばSDH伝送方式でよく利用される方式であり、たとえば特許文献１に記載されている。
【特許文献１】特開平８−６５２７４号公報
【発明の開示】
【発明が解決しようとする課題】
【０００７】
しかしながらSDH伝送方式では、位相フリーで通信が行われるため、BIPの演算範囲を特定する処理やBIP位置の検索処理を行うためにポインタ終端処理を行う必要があり、この結果、中継区間において、その処理回路の規模および処理量が非常に大きくなってしまうという問題があった。
【０００８】
本発明はこのような従来技術の欠点を解消し、回路規模および処理量の小さい中継区間通信路における通信方法およびその方式を提供することを目的とする。
【課題を解決するための手段】
【０００９】
本発明は上述の課題を解決するために、パリティ方式にて誤り監視を行って伝送フレームを中継する中継区間通信路における通信方法において、この方法は、中継する伝送フレームの未使用信号と伝送フレームに挿入する挿入信号とを所定ビットごとに比較する比較工程と、比較した結果に基づいて、パリティを補正するための補正ビットを生成する補正ビット生成工程と、補正ビットを前記伝送フレームの未使用信号に挿入する挿入工程と、補正ビットが挿入された伝送フレームを中継伝送する中継工程と有することを特徴とする。この場合、パリティ方式はBIP方式であり、補正ビット生成工程は、比較工程の比較結果が奇数個の差分を示す場合には、補正ビットの比較結果が反映される該当ビットを反転するとよい。
【００１０】
また、本発明は上述の課題を解決するために、パリティ方式にて誤り監視を行って伝送フレームを中継する中継区間通信路における通信方式において、この方式は、中継する伝送フレームの未使用信号と伝送フレームに挿入する挿入信号とを所定ビットごとに比較する比較手段と、比較手段の比較結果に基づいて、パリティを補正するための補正ビットを生成する補正ビット生成手段と、補正ビットを前記伝送フレームの未使用信号に挿入する挿入手段と、補正ビットが挿入された伝送フレームを中継伝送する中継手段と有することを特徴とする。この場合、パリティ方式はBIP方式であり、補正ビット生成手段は、比較手段の比較結果が奇数個の差分を示す場合には、補正ビットの比較結果が反映される該当ビットを反転するとよい。
【発明の効果】
【００１１】
本発明によれば、BIP補正ビットを設けて伝送フレームに挿入し、BIP補正ビットを有する伝送フレームを形成して中継することにより、BIPを更新することなく、変更した信号部分のみの補正により、前段からの異常を後段へそのまま伝達する中継を行うことができる。また、挿入信号の挿入前後の比較処理と、演算結果をBIP補正ビットに対応させる処理とが簡便な構成で実現できて伝送フレームを中継することができるので、回路規模の増大を防止して回路を小さくし、また処理量を少なくすることができる。
【発明を実施するための最良の形態】
【００１２】
次に添付図面を参照して本発明による通信方法およびその方式の実施例を詳細に説明する。図２を参照すると、本発明が適用された通信システムの全体構成例が示されている。
【００１３】
図示するように通信システム10は、伝送フレームを送信する送信側の伝送装置12と、伝送フレームを中継区間通信路にて中継する複数の中継装置14,16と、最終段の中継装置16から送信される伝送フレームを受信する伝送装置18とを含む。
伝送装置12および中継装置14,16は、SDH伝送方式により伝送フレーム20を後段の装置へ転送する通信装置であり、符号誤りの監視方式はBIP （Bit Interleaved Parity）方式が採用されている。
【００１４】
本実施例におけるBIP補正方式が適用された通信方式を図１を参照して説明する。同図には、図２に示した通信システム10の一部分が示され、中継装置14におけるBIP-nの場合のBIP補正処理の概要が示されている。
【００１５】
このBIP補正処理は、まず、中継装置14にて受信した伝送フレーム20の未使用信号内の使用エリア“DDDD”と、挿入する信号“XXXX”とをnビット毎に“１”の数を比較する（S10）。次いで、S10の比較結果に基づいてBIP補正を行い、BIP補正ビットを作成する（S20）。そしてBIP補正ビット（Y,Z）を送信する伝送フレーム22の未使用信号エリアに挿入する（S30）。
【００１６】
このようにして、中継装置14では、BIP演算範囲24内の未使用信号にBIP補正ビット26を設けて、未使用信号と、挿入する信号との“１”の数の差分をBIP補正ビットで補正し伝送フレームを中継する。図２に示した中継装置16も同様の処理を行って、伝送フレームを伝送装置18へ送信する。したがって、各中継装置にてBIPを再演算して更新することなく、前段からの異常フレームをそのまま後段の装置へ伝送することができる。
【００１７】
本BIP補正方式を図３を参照してさらに詳細に説明する。図３を参照すると、BIP-2の場合のBIP補正方法による通信方式が示されている。
【００１８】
たとえば中継装置14（図１）にて受信された伝送フレーム22の未使用信号内の使用エリア300の４ビット“1111”と、このフレームに挿入する信号302の４ビット“0111”とを２ビットごとに“１”の数の比較処理S50,S52をそれぞれ行う。
【００１９】
次に、これらの比較結果に基づいてBIP補正ビットを操作する。具体的には、未使用エリア300における偶数ビットの番号（４番ビット314、２番ビット312）と、信号302における偶数ビット（ビット324、ビット322）比較結果に奇数個の差分がある場合(S54)に、偶数ビット用のBIP補正ビット(Z) 332の値を入力データ"1"に対して"0"に反転させる(S56,S58)。逆に、これら未使用エリア300における偶数ビットの番号（４番ビット314、２番ビット312）と、信号302における偶数ビット（ビット324、ビット322）との比較結果に偶数個の差分があった場合（不図示）には、BIP補正ビット(Z) 332を操作せずに、BIP補正ビット(Z)の値"1"を操作せずに、BIP補正ビット(Z)をそのまま中継する。
【００２０】
未使用エリア300における奇数ビットの番号（３番ビット313、１番ビット311）と、信号302における奇数ビット（ビット323、ビット321）の比較結果に対しても同様に、奇数ビット用のBIP補正ビット(Y) 331を操作する。この場合、奇数ビットの比較結果に偶数個の差分がある場合(S60)には、BIP補正ビット(Y) 331を操作せず(S62)に、BIP補正ビット(Y)をそのまま中継する(S64)。逆に、未使用エリア300における奇数ビットの番号（３番ビット313、１番ビット311）と、信号302における奇数ビット（ビット323、ビット321）の比較結果に奇数個の差分があった場合（不図示）には、BIP補正ビット(Z) 332の値"1"を値"0"に反転させたBIP補正ビット(Z)を中継する。
【００２１】
このようにして決定したBIP補正ビット(Z,Y)を伝送フレームに挿入する(S70)。こうしてBIP補正ビットが操作された伝送フレームは、後段の中継装置16や伝送装置18に伝送される。
【００２２】
以上のように、BIP補正ビットを設けて伝送フレームを中継することにより、各中継装置にてBIPを更新することなく、変更した信号部分のみを補正するため、前段からの異常をそのまま後段の装置へ伝送することができる。
【００２３】
また、挿入信号の挿入前後の比較処理と、演算結果をBIP補正ビットに対応させる処理を行う構成により、処理量が低減されて、回路規模を小さくすることができる。
【００２４】
以上実施例では、BIP-2（BIP-n）方式を利用した信号エラー監視を行う伝送システムを例に説明したが、BIP補正ビットを用いて中継伝送する本方式は、パリティ方式にて監視を行う伝送システム全般に適用可能である。
【図面の簡単な説明】
【００２５】
【図１】BIP補正方式の処理概要を示す図である。
【図２】通信システムの構成例を示すブロック図である。
【図３】実施例におけるBIP-2補正方法を示す図である。
【符号の説明】
【００２６】
10  通信システム
12,18  伝送装置
14,16  中継装置
20,22  伝送フレーム
【図１】
2006157766.tif 000003
【図２】
2006157766.tif 000004
【図３】
2006157766.tif 000005